(57)【要約】【課題】接続作業の簡略化を図る。【解決手段】筒状のスリーブ本体７０に設けられた挿着孔７０ａに導電性接着剤７２が充填されている。導電性接着剤は金属同士を接着する接着剤であってペースト状をなす。スリーブ本体の各端面はカバー体７４によって覆われている。導電性接着剤の引張剪断強度が規定値以上であるエポキシ系あるいはアクリル系接着剤が使用される。この接着剤は速乾性が好ましいが、２０〜３０分経過による硬化によって、所定の引張剪断強度となる接着剤であればよい。この低圧用接続スリーブ８０を使用するときは、一方のカバー体を外して電線の芯線を挿着孔に挿着し、同じように反対側の挿着孔より芯線を挿着する。挿着することで導電性接着剤は芯線の外表面と挿着孔との隙間を間断なく満たされる。挿着後所定時間経過すると、この導電性接着剤が硬化して仕様通りの引張剪断強度が得られる。所定時間経過後に低圧用接続スリーブを含めて絶縁テープによるテーピング処理を行う。【選択図】        図１
2007059204.tif 000002
【特許請求の範囲】
【請求項１】
スリーブ本体の両端に設けられた電線接続用の一対の挿着孔と、
これら挿着孔内に充填された導電性接着剤と、
上記挿着孔を覆うカバー体とで
構成されたことを特徴とする接続スリーブ。
【請求項２】
上記導電性接着剤は、常温で硬化すると共に、所定の引張剪断強度を有する一液型導電性接着剤である
ことを特徴とする請求項１記載の接続スリーブ。
【請求項３】
上記挿着孔の内径は、上記電線の外表面との間に上記接着剤の層が介在できるように、上記電線の外径よりも僅かに径大となされた
ことを特徴とする請求項１記載の接続スリーブ。
【請求項４】
上記接着剤の内部には、上記電線との接触面積拡張用の溝又は突起が設けられた
ことを特徴とする請求項１記載の接続スリーブ。
【請求項５】
上記電線は、低圧配電線、低圧引き込み線に用いられる縁線である
ことを特徴とする請求項１記載の接続スリーブ。
【請求項６】
上記スリーブ本体の外表面が絶縁体によって被覆された
ことを特徴とする請求項１記載の接続スリーブ。
【請求項７】
上記絶縁体の両端は、上記電線の被覆絶縁部の外径と同径となされた、上記スリーブ本体より突出した被覆部となされると共に、
これら被覆部内には上記挿着孔を閉塞する封止膜が設けられた
ことを特徴とする請求項６記載の接続スリーブ。
【発明の詳細な説明】
【技術分野】
【０００１】
この発明は電線同士を接続するための接続スリーブに関する。詳しくは、スリーブ本体に設けられた電線の挿着孔内に導電性接着剤を充填させておくことで、圧着工具を使用することなく電線を接続できるようにしたものである。
【背景技術】
【０００２】
架空電線、例えば架空配電線同士を接続するために、周知の接続スリーブが使用される。接続スリーブは架空配電線同士を始めとして、その引き込み線との間などで使用されている。
【０００３】
図１０は各配電線１２Ａ、１２Ｂが高圧配電線であるときの接続例であって、電柱などの支持物１０によって、架空配電線１２Ａ，１２Ｂが支持される。架空配電線１２Ａと１２Ｂとはそれぞれより引き出されたジャンパ線（縁線）１４Ａ、１４Ｂが接続スリーブ５０によって接続される。
【０００４】
架空配電線１２Ａ、１２Ｂが高圧配電線などであるときには、図１０のように支持物１０の先端部に取り付け固定された腕金１６に引留金具１８が取り付けられ、この引留金具１８に固定された高圧耐張がいし（２連）２０，２２にそれぞれの架空配電線１２Ａ、１２Ｂが固定される。そしてそのそれぞれより引き出されたジャンパ線１４Ａ、１４Ｂ同士が接続スリーブ（例えば直線接続スリーブ）５０によって接続されることになる。
【０００５】
架空配電線が低圧配電線であるときにも、家屋まで引き込むまでに接続スリーブ（低圧用接続スリーブ）が使用される。図１１はその一例を示すもので、支持物２４に装架された腕金２６に低圧配電線２８が支持され、この低圧配電線２８よりの引き込み線３０が引き込みがい管３２によって下段の腕金３４に取り付けられた端子箱３６まで引き出される。
【０００６】
腕金３４には低圧引き込み線３８を支持するがいし４０が取り付けられ、がいし３６側のジャンパ線４１Ａと、低圧引き込み線３８側のジャンパ線４１Ｂとが低圧用接続スリーブ５２によって相互に接続される。
【０００７】
家屋側にあっても屋内外の電線が低圧用接続スリーブによって接続される。図１２はその一例を示すもので、家屋の軒下４２の造営材（垂木など）４４に低圧引き込み線３８が取り付け固定されると共に、低圧引き込み線３８側より分岐したジャンパ線４６Ａと屋内配管４８側のジャンパ線４６Ｂとが低圧用接続スリーブ５４によって接続される。
【０００８】
図１０〜図１２のような電線接続個所において使用される接続スリーブは、真鍮や銅などの導電性のよい金属管が使用される。接続スリーブの太さや長さは接続する電線の種類によって異なるが、特に、図１１や図１２のように低圧配電個所や低圧引き込み個所（以下低圧配電個所と総称する）において使用されている低圧用接続スリーブ５２，５４としては、その外径が５〜８ｍｍ、長さが４〜５ｃｍ程度で、同一の構造をなすスリーブ本体が使用されている。
【０００９】
図１３は特に低圧配電個所に使用される低圧用接続スリーブ５２（５４）の一例を示す。同図は直線スリーブの例であって、電線４１Ａ，４１Ｂの芯線６０Ａ、６０Ｂに合わせた内径５２ａを有する。その長さのほぼ中間位置にくびれ部５２ｂが設けられ、芯線６０Ａ，６０Ｂの挿入長を規制できるようになっている。
【００１０】
芯線６０Ａ，６０Ｂをくびれ部５２ｂまで挿入した状態で、圧着工具を使用して例えば矢印の個所（複数個所）を圧着して固定する。この圧着作業によって電線４１Ａと４１Ｂが低圧用接続スリーブ５２によって接続（連結）される。圧着後に低圧用接続スリーブ５２を含めて絶縁テープによるテーピング処理が行われる。なお、圧着処理によって電線を接続するものとして特許文献１や特許文献２などが知られている。
【００１１】
【特許文献１】特開平１１−２６０４３２号公報
【特許文献２】特開２００１−１６７３１号公報
【発明の開示】
【発明が解決しようとする課題】
【００１２】
ところで、特許文献１あるいは特許文献２や図１１〜図１３に示すように、低圧用などの接続スリーブ５２を使用して電線同士を連結する場合には、接続スリーブを圧着する工程がある。この圧着は圧着工具を使用するが、圧着作業が柱上で行われるものであるから、その作業性が悪く、連結作業時の隘路となっている。
【００１３】
そこで、この発明はこのような従来の課題を解決したものであって、引っ張り強度（引張剪断強度）を差ほど要求されない個所などにおける接続スリーブの作業性を改善できる接続スリーブを提案するものである。
【課題を解決するための手段】
【００１４】
上述の課題を解決するため、請求項１に記載したこの発明に係る低圧用接続スリーブは、
スリーブ本体の両端に設けられた電線接続用の一対の挿着孔と、
これら挿着孔内に充填された導電性接着剤と、
上記挿着孔を覆うカバー体とで構成されたことを特徴とする。
【００１５】
この発明では、その基本構成は従来の低圧用接続スリーブと同じであって、スリーブ本体は筒状をなし、その中間部にはくびれ部が設けられている。この発明に係る接続スリーブ（スリーブ本体）の内径は、従来よりも多少余裕を持たせてある。電線の芯線に対して、１〜２ｍｍ程度大きな内径となされる。
【００１６】
スリーブ本体に設けられた挿着孔には導電性接着剤が充填されている。導電性接着剤は金属同士を接着する接着剤が使用される。この導電性接着剤はペースト状（ゲル状）をなす半固体である。導電性接着剤は空気と反応したり、塵埃が入り込まないようにするため、スリーブ本体の各端面はカバー体によって覆われている。
【００１７】
導電性接着剤としては、その引張剪断強度が規定値（例えば５０Ｋｇ／ｃｍ2）以上であるエポキシ系あるいはアクリル系接着剤が使用される。この規定値は低圧用接続スリーブの使用個所によって相違するが、低圧配電個所に適用する場合には充分な強度と言える。導電性接着剤は速乾性が好ましいが、２０〜３０分経過による硬化によって、上述した引張剪断強度となるような導電性接着剤であれば、実用上充分利用可能な導電性接着剤と言える。
【００１８】
カバー体は着脱自在であって、この低圧用接続スリーブを使用するときは、一方のカバー体を外して電線の芯線を挿着孔に圧入する。同じように反対側の挿着孔より芯線を圧入する。圧入することで導電性接着剤は芯線の外表面と挿着孔との隙間を間断なく満たす。絶縁被覆体を剥離した芯線はより線であるので、導電性接着剤との接触面積が大きくなる。挿着後所定時間経過すると、この導電性接着剤が硬化して仕様通り（規格値通り）の引張剪断強度が得られるので、接続スリーブを介して２本の電線を連結できる。
【００１９】
所定時間経過後に低圧用接続スリーブを含めて絶縁テープによるテーピング処理を行う。テーピング処理は雨水や塵埃などがスリーブ本体内に浸入しないようにするためで、このテーピング処理によって引張剪断強度の経年劣化が改善される。このテーピング処理によって低圧用接続スリーブを使用した電線の連結作業が終了する。したがって圧着工具などを全く使用しないで、しかも短時間に電線連結作業を終えることができる。所定時間経過前にテーピング処理を行うことも可能である。
【００２０】
なお、挿着孔内には隙間なく導電性接着剤が充填されているので、芯線を圧入すると導電性接着剤の一部がはみ出し、はみ出した導電性接着剤の一部は絶縁被覆体の端面とスリーブ本体の端面との間にも入り込むので、この入り込んだ導電性接着剤によっても多少の接着強度が得られる。
【００２１】
芯線を圧入する前にこの芯線の外表面に同じ導電性接着剤を塗布しておけば、より強靱な接着強度を得ることができる。
【００２２】
また、その外表面に絶縁体を被覆したスリーブ本体を使用する。この場合絶縁体の両端には、スリーブ本体の端面より所定長突出した被覆部が設けられる。被覆部の内径はスリーブ本体の外径、つまり、電線の外径にほぼ等しくなされている。その結果、電線の芯線をスリーブ本体の挿着孔内に挿着することで、電線は接続スリーブ本体と電気的および機械的に連結されると共に、電線の絶縁被覆体は絶縁体の被覆部内に嵌着される。スリーブ本体内の導電性接着剤の一部が被覆部の端面側まで漏出するので、被覆部を介した雨水等の染み込みを防止できる。したがって絶縁テープの被覆は必ずしも必要ない。
【発明の効果】
【００２３】
この発明は、スリーブ本体の挿着孔内に導電性接着剤を充填させた接続スリーブであるので、導電性接着剤によって挿着孔内に圧入された電線の芯線を導電性を保ったままスリーブ本体に強固に接着できる。その引張剪断強度は５０Ｋｇ／ｃｍ2以上確保できるので、特に大きな引張剪断強度を要求されない電線同士を連結する個所（低圧配電線個所）に適用して極めて好適である。連結作業は電線を圧入するだけであるから、圧着工具などを使用して連結作業を行う場合よりもその連結作業性が大幅に改善される。
【発明を実施するための最良の形態】
【００２４】
続いて、この発明に係る接続スリーブを低圧配電線個所に適用した実施例について、図面を参照して詳細に説明する。
【実施例１】
【００２５】
図１はこの発明を低圧配電個所に使用される接続スリーブ（低圧用接続スリーブ）に適用した場合の一例を示す。低圧用接続スリーブは連結すべき電線の太さや、使用個所によってその大きさや長さが相違する。低圧用接続スリーブは直線スリーブである。
【００２６】
図１に示す低圧用接続スリーブ８０はスリーブ本体７０を有する。スリーブ本体７０は銅Ｃｕや真鍮などの導電性の高い金属筒状体であって、挿着孔７０ａを有する。
【００２７】
低圧用接続スリーブ７０の長さＬａや太さＤａおよび挿着孔７０ａの内径Ｄｂは連結すべき電線の芯線径によって若干相違する。この例では挿着孔７０ａの内径Ｄｂは芯線径Ｄｃ（図２参照）よりも僅かに径大となされている。その裕度は大凡２．０〜３．０ｍｍである。この裕度は後述するように導電性接着剤を、芯線６０Ａ、６０Ｂの外表面と挿着孔内面との間に介在させるためであるので、その裕度は通常よりも僅かに大きくなるように選定されている。
【００２８】
スリーブ本体７０のほぼ中央部にはくびれ部７０ｂが形成されている。この例では、その上下より押圧することによって形成された一対の凸部が、くびれ部７０ｂとして機能する。くびれ部７０ｂは電線６０Ａ，６０Ｂのスリーブ本体７０への挿着長Ｌｂを規制するためのものである。くびれ部７０ｂによって、一対の挿着孔７０ａ、７０ａが設けられたことになる。
【００２９】
挿着孔７０ａ内には導電性接着剤７２が充填されている。導電性接着剤７２は挿着孔７０ａ内を完全に満たすように充填されているものとする。外気との接触による劣化を防止するためである。流状の導電性接着剤７２はペースト状（ゲル状）をなすエポキシ系かアクリル系の接着剤に導電剤を混入させたもので、その引張剪断強度は既定値以上が要求される。
【００３０】
既定値とは、低圧用接続スリーブ８０の使用個所によって予め定められた値である。上述したように低圧配電線個所におけるジャンパ線同士を連結する場合には、引張剪断強度として５０Ｋｇ／ｃｍ2以上であることが規定されている。したがって、この引張剪断強度以上の導電性接着剤が使用される。
【００３１】
このような引張剪断強度を有する導電性接着剤としては、銀ペーストを使用した一液型導電性接着剤が好適である。この一液型導電性接着剤としては、例えば商品名がムロマックボンドＫ−７２−１ＬＶ、Ｋ−７２−１−ＨＶ、Ｋ−７２−１、Ｐ−１０３２など（何れもムロマチテクノス株式会社製）を使用することができる。これらは何れも比抵抗が小さく、その引張剪断強度は１３０Ｋｇ／ｃｍ2以上であり、硬化に要する時間も３０分以下である。特に製品名「Ｐ−１０３２」の導電性接着剤は速乾型（速硬化型）であり、その比抵抗は、２×１０-4、引張剪断強度も１８０Ｋｇ／ｃｍ2であるので、上述した導電性接着剤として好適である。
【００３２】
挿着孔７０ａ内に充填されるペースト状の導電性接着剤７２は空気と接触することで接着剤が多少劣化することも考えられるので、スリーブ本体７０の両端にはカバー体７４（７４ａ、７４ｂ）によって封止され、気密性が保持される。カバー体７４は着脱自在となるように構成された柔軟な樹脂製である。このカバー体７４によって内部に充填された導電性接着剤７２の漏出を防止すると共に、経時および経年劣化を防止する。
【００３３】
図１は使用する前の低圧用接続スリーブ８０の断面例であり、これを実際の低圧配電個所において使用する場合を図２以下を参照して説明する。まず、ジャンパ線４１Ａの先端部の絶縁被覆体４２Ａを剥離して芯線６０Ａを所定長Ｌｃ（＝Ｌｂ）だけ露出させる。挿着孔７０ａの内径Ｄｂは芯線６０Ａの外径Ｄｃよりも僅かに大きいので、芯線６０Ａを挿着孔７０ａ内に差し込むと、図３に示すように芯線６０Ａの外表面と挿着孔７０ａとの隙間（空間）は導電性接着剤７２によって完全に満たされる。
【００３４】
同様に、他方のカバー体７４ｂを外し、他方のジャンパ線４１Ｂの芯線６０Ｂが挿着孔７０ａ内に差し込まれる（図４参照）。差し込まれた芯線６０Ｂの外表面と挿着孔７０ａとの隙間もまた、導電性接着剤７２によって完全に満たされる。
【００３５】
ここで、カバー体７４ａを外してから芯線６０Ａを差し込むまでの間に、導電性接着剤７２は外気に触れるので、そのときから導電性接着剤７２は硬化を開始する。したがってカバー体７４ａを外してから所定時間が経過することによって挿着孔７０ａ内の導電性接着剤７２は完全に硬化し、芯線６０Ａ、６０Ｂ換言すればジャンパ線４１Ａ、４１Ｂはこの導電性接着剤７２を介してスリーブ本体７０と機械的および電気的に連結される。これによって充分な引張剪断強度をもって、ジャンパ線４１Ａと４１Ｂとは接続スリーブ８０に連結されたことになる。
【００３６】
芯線６０Ａ、６０Ｂを挿着孔７０ａに差し込むとき、内部の導電性接着剤７２の一部が挿着孔７０ａ外に漏出し、漏出した導電性接着剤７２は僅かでも絶縁被覆体４２Ａ、４２Ｂの端面とスリーブ本体７０の端面との間を満たすことになるから、この絶縁被覆体４２Ａ、４２Ｂの各端面とスリーブ本体７０の端面との間に介在した導電性接着剤７２によっても引張剪断力を得ることができる。これによってより強固にジャンパ線４１Ａ，４１Ｂ同士を連結できる。
【００３７】
ジャンパ線４１Ａ、４１Ｂの差し込み作業（挿着作業）が終わって所定時間経過後（導電性接着剤７２の完全硬化後）に、接続スリーブ８０と各ジャンパ線４１Ａ，４１Ｂの端部を含むように絶縁テープ７６が巻かれる。ジャンパ線４１Ａ，４１Ｂの端面から挿着孔７０ａ内部に漏水するのを防止するためである。芯線を圧入する前にこの芯線の外表面に同じ導電性接着剤を塗布しておけば、より強靱な接着強度を得ることができる。  
【実施例２】
【００３８】
図６は電線の接着強度を強めるさらなる改良例である。この例では、挿着孔７０ａの内面に凹条をなす複数の溝７８を、この例では等間隔に設けた例である。このように複数の溝７８を設けることによって、挿着孔７０ａに対する導電性接着剤７２の接触面積が増加する。これによって、結果的に芯線６０Ａ，６０Ｂと接続スリーブ８０との引張剪断強度が増加することになる。図示した溝７８の個数や、溝７８の形状などは一例に過ぎない。
【実施例３】
【００３９】
図７も図６と同様な変形例である。この例は、溝の代わりに複数の尖塔型の突起部７９を等間隔に複数個配列形成した場合である。この場合でも図６と同様に挿着孔７０ａに対する導電性接着剤７２の接触面積が増加するため、接続スリーブ８０に対するジャンパ線４１Ａ，４１Ｂの引張剪断強度が高まる。図示した突起部７９の個数、その形状などは一例に過ぎない。
【実施例４】
【００４０】
図８はこの発明の他の実施例を示す。この例でも接続スリーブ８０はスリーブ本体７０を有し、その構造、太さ、長さ、材質などは実施例１の場合と同様である。
【００４１】
この例では、図８に示すようにスリーブ本体７０自体の外表面には所定の厚みを有する絶縁体１００が被覆されて、一体化されている。絶縁体１００は、内部のスリーブ本体７０よりも長く、スリーブ本体７０より突出した両端面は電線の被覆部１０２（１０２ａ、１０２ｂ）として機能する。
【００４２】
被覆部１０２の内径は、電線の外径と同じである。したがって、被覆部１０２はスリーブ本体７０の外径と同じ内径となっている。被覆部１０２の内径は、使用する電線の外径によって定まるもので、したがって被覆部１０２の内径は、スリーブ本体７０の外径と異なる場合もある。
【００４３】
被覆部１０２の突出長Ｌｃは漏水を防止できる程度の長さであって、例えば図５に示す絶縁テープ７６による券回長Ｌｄとほぼ同じ長さに選定されている。この例では、２〜５ｃｍの突出長Ｌｃに選ばれる。この絶縁体１００は、比較的軟質で、多少の柔軟性を有する樹脂（塩化ビニル樹脂やポリプロピレン樹脂など）によって成形されたものである。
【００４４】
スリーブ本体７０の内部には上述したと同じ導電性接着剤７２が充填されており、スリーブ本体７０の各端面には導電性接着剤７２の漏出と外気に触れるのを防止するために封止膜１０４（１０４ａ、１０４ｂ）が固着されている。封止膜１０４は比較的容易に破ることができるようにその厚み（０．１〜０．５ｍｍ）などが選定されている。
【００４５】
また、被覆部１０２の各端面を覆うようにカバー体７４（７４ａ、７４ｂ）が装着されている。カバー体７４は被覆部１０２の内面などに塵埃等が付着しないようにするためである。
【００４６】
さて、図８のように構成された絶縁体付き接続スリーブ８０を使用するに当たっては、図１に示す絶縁体なしの接続スリーブ８０と同様に、例えば一方のカバー体７４ａを外し、ジャンパ線４１Ａの芯線６０Ａを、挿着孔７０ａ内に差し込む。このとき封止膜１０４ａがあるが、芯線６０Ａによって容易に破ることができるので、そのまま芯線６０Ａをその先端がくびれ部７０ｂに当接するまで差し込む。そうすると、ジャンパ線４１Ａの絶縁被覆体４２Ａが被覆部１０２ａの内面を覆うように挿着されるので、芯線６０Ａと挿着孔７０ａとの間は導電性接着剤７２によって満たされると共に、絶縁被覆体４２Ａが被覆部１０２ａの内面に密着した状態で固定される。
【００４７】
同様に、他方のカバー体７４ｂを外し、ジャンパ線４１Ｂの芯線６０Ｂを、挿着孔７０ａに差し込む。封止膜１０４ｂを破ってそのまま芯線６０Ａをその先端がくびれ部７０ｂに当接するまで差し込む。こうすることで、ジャンパ線４１Ｂの絶縁被覆体４２Ｂが被覆部１０２ｂの内面を覆うように挿着されるので、芯線６０Ｂと挿着孔７０ａとの間は導電性接着剤７２によって満たされると共に、絶縁被覆体４２Ｂが被覆部１０２ｂの内面に密着した状態で固定される。
【００４８】
このように導電性接着剤７２を充填した接続スリーブ８０を介してジャンパ線４１Ａ，４１Ｂを接続することで、ジャンパ線４１Ａ，４１Ｂ同士は接続スリーブ８０によって電気的および機械的に連結されたことになる。
【００４９】
この一連の処理中に、挿着孔７０ａ内の導電性接着剤７２は外気と接触するため、導電性接着剤７２は硬化が始まり、所定時間（使用する導電性接着剤によっても相違するが、５〜３０分）が経過すると、導電性接着剤７２が完全に硬化する。これによって所定の引張剪断強度を得ることができる。
【００５０】
また、スリーブ本体７０には絶縁体１００が被覆され、そして被覆部１０２ａ、１０２ｂによって絶縁被覆体４２Ａ、４２Ｂの一部がカバーされた状態でジャンパ線４１Ａと４１Ｂとが連結されることになるから、図５に示すような絶縁テープ７６による被覆処理を行ったのと同等の硬化が得られる。したがって図５のような被覆処理を割愛できる。
【００５１】
上述した各実施例では、接続スリーブ８０の適用個所として特に低圧配電系のジャンパ線接続について説明したが、充分な引張剪断強度が得られる導電性接着剤であるならば、高圧配電系でのジャンパ線接続や、荷重のかかる個所における電線同士の接続にもこの発明に係る接続スリーブを適用できることは容易に理解できる。
【００５２】
この実施例においても、図６および図７の構成を適用できることは言うまでもない。
【産業上の利用可能性】
【００５３】
この発明は、低圧配電個所や低圧引き込み個所におけるジャンパ線同士の連結用スリーブとして利用できる。
【図面の簡単な説明】
【００５４】
【図１】この発明に係る低圧用接続スリーブの一例を示す要部断面図である。
【図２】この発明に係る低圧用接続スリーブを使用して電線を連結するときの連結工程図（その１）である。
【図３】この発明に係る低圧用接続スリーブを使用して電線を連結するときの連結工程図（その２）である。
【図４】この発明に係る低圧用接続スリーブを使用して電線を連結するときの連結工程図（その３）である。
【図５】この発明に係る低圧用接続スリーブを使用して電線を連結するときの連結工程図（その４）である。
【図６】この発明に係る接続スリーブの他の例を示す要部側面図である（その１）。
【図７】この発明に係る接続スリーブの他の例を示す要部側面図である（その２）。
【図８】この発明に係る低圧用接続スリーブの他の例を示す要部断面図である。
【図９】その使用状態の断面図である。
【図１０】配電線同士の連結状態を説明するための図である。
【図１１】低圧引き込み線の連結状態を説明するための図である。
【図１２】家屋電線との連結状態を説明するための図である。
【図１３】低圧用接続スリーブの使用状態における断面図である。
【符号の説明】
【００５５】
３８・・・引き込み線
４１Ａ，４１Ｂ・・・ジャンパ線
４２Ａ，４２Ｂ・・・絶縁被覆体
５０，５２，５４・・・接続スリーブ
６０Ａ，６０Ｂ・・・芯線
８０・・・接続スリーブ（低圧用接続スリーブ）
７０・・・スリーブ本体
７０ａ・・・挿着孔
７０ｂ・・・くびれ部
７２・・・導電性接着剤
７４ａ、７４ｂ・・・カバー体
１００・・・絶縁体
１０２ａ、１０２ｂ・・・被覆部
１０４ａ、１０４ｂ・・・封止膜
【図１】
2007059204.tif 000003
【図２】
2007059204.tif 000004
【図３】
2007059204.tif 000005
【図４】
2007059204.tif 000006
【図５】
2007059204.tif 000007
【図６】
2007059204.tif 000008
【図７】
2007059204.tif 000009
【図８】
2007059204.tif 000010
【図９】
2007059204.tif 000011
【図１０】
2007059204.tif 000012
【図１１】
2007059204.tif 000013
【図１２】
2007059204.tif 000014
【図１３】
2007059204.tif 000015